(57)【特許請求の範囲】
【請求項１】
複数の住戸と、玄関階を含む複数のサービス階と、中央制御装置を備え、玄関には玄関扉と玄関用ＩＤ照合装置が、玄関階のエレベータ乗場には乗場用ＩＤ照合装置が、また各住戸にはインターホンがそれぞれ設置され、前記中央制御装置が、前記玄関用ＩＤ照合装置からの認証者確認信号または前記インターホンからの開錠信号に基づき、前記玄関扉を開錠するように構成された集合住宅におけるエレベータの制御装置であって、
このエレベータの制御装置は、前記中央制御装置に接続されたエレベータ制御回路を有し、前記中央制御装置がこのエレベータ制御回路に目的階指定信号を供給するように構成され、
前記エレベータ制御回路は、前記各サービス階に対するエレベータの運行制御手段と、前記運行制御手段に接続された乗場呼び非サービス階設定手段と、乗場呼び自動登録手段と、かご呼び非サービス階設定手段とを有し、
前記乗場呼び非サービス階設定手段は、通常状態では、前記玄関階でのエレベータの乗場呼びを登録不能とする機能を有し、
また、前記乗場呼び自動登録手段は、前記乗場用ＩＤ照合装置からの認証者確認信号または前記インターホンからの開錠信号に基づき、前記玄関階でのエレベータの乗場呼びを自動登録する機能を有し、
また、前記かご呼び非サービス階設定手段は、エレベータかごが前記玄関階に到着したときに、前記玄関階と、前記目的階指定信号により指定された目的階とを除く他の各サービス階へのかご呼びを一時的に登録不能とし、また、かご呼びまたは途中のサービス階の乗場呼びに応答すると、かご呼びを登録可能とする機能を有することを特徴とするエレベータの制御装置。
【請求項２】
複数の住戸と、玄関階を含む複数のサービス階と、中央制御装置を備え、玄関には玄関扉と玄関用ＩＤ照合装置が、玄関階のエレベータ乗場には乗場用ＩＤ照合装置が、また各住戸にはインターホンがそれぞれ設置され、前記中央制御装置が、前記玄関用ＩＤ照合装置からの認証者確認信号または前記インターホンからの開錠信号に基づき、前記玄関扉を開錠するように構成された集合住宅におけるエレベータの制御装置であって、
前記エレベータの制御装置は、前記中央制御装置に接続されたエレベータ制御回路を有し、前記中央制御装置がこのエレベータ制御回路に目的階指定信号を供給するように構成され、
前記エレベータ制御回路は、前記各サービス階に対するエレベータの運行制御手段と、この運行制御手段に接続された乗場呼び非サービス階設定手段と、乗場呼び自動登録手段と、かご呼び非サービス階設定手段と、かご呼び自動登録手段とを有し、
前記乗場呼び非サービス階設定手段は、通常状態では、前記玄関階でのエレベータの乗場呼びを登録不能とする機能を有し、
また、前記乗場呼び自動登録手段は、前記乗場用ＩＤ照合装置からの認証者確認信号または前記インターホンからの開錠信号に基づき、前記玄関階でのエレベータの乗場呼びを自動登録する機能を有し、
また、前記かご呼び非サービス階設定手段は、エレベータかごが前記玄関階に到着したときに、前記玄関階以外の各サービス階へのかご呼びを登録不能とし、かご呼びまたは途中のサービス階の乗場呼びに応答すると、かご呼びを登録可能とする機能を有し、
また、前記かご呼び自動登録手段は、前記玄関階において乗客の乗車を検出したときに、前記目的階指定信号により指定された目的階へのかご呼びを自動登録する機能を有することを特徴とするエレベータの制御装置。
【請求項３】
複数の住戸と、玄関階を含む複数のサービス階と、中央制御装置を備え、玄関には玄関扉と玄関用ＩＤ照合装置が、玄関階のエレベータ乗場には乗場用ＩＤ照合装置が、また各住戸にはインターホンがそれぞれ設置され、前記中央制御装置が、前記玄関用ＩＤ照合装置からの認証者確認信号または前記インターホンからの開錠信号に基づき、前記玄関扉を開錠するように構成された集合住宅におけるエレベータの制御装置であって、
このエレベータの制御装置は、前記中央制御装置に接続されたエレベータ制御回路を有し、前記中央制御装置が前記エレベータ制御回路に目的階指定信号を供給するように構成され、
前記エレベータ制御回路は、前記各サービス階に対するエレベータの運行制御手段と、この運行制御手段に接続された乗場呼び非サービス階設定手段と、かご呼び非サービス階設定手段とを有し、
前記乗場呼び非サービス階設定手段は、通常状態では、前記玄関階でのエレベータの乗場呼びを登録不能とし、前記乗場用ＩＤ照合装置からの認証者確認信号または前記インターホンからの開錠信号に基づき、前記玄関階でのエレベータの乗場呼びを一時的に登録可能とする機能を有し、
また、前記かご呼び非サービス階設定手段は、エレベータかごが前記玄関階に到着したときに、前記玄関階と、前記目的階指定信号により指定された目的階とを除く他の各サービス階へのかご呼びを一時的に登録不能とし、また、かご呼びまたは途中のサービス階の乗場呼びに応答すると、かご呼びを登録可能とする機能を有することを特徴とするエレベータの制御装置。
【請求項４】
請求項１乃至３の何れか一項記載のエレベータの制御装置であって、前記かご呼び非サービス階設定手段は、さらに前記乗場用ＩＤ照合装置からの管理者確認信号に基づき、前記すべてのサービス階へのかご呼びを一時的に登録可能とする機能を有することを特徴とするエレベータの制御装置。
【請求項５】
請求項１乃至４の何れか一項記載のエレベータの制御装置であって、前記運行制御手段が、前記エレベータ制御回路の外部に設置された通信コントローラを介して前記中央制御装置に接続されたことを特徴とするエレベータの制御装置。
【発明の詳細な説明】
【技術分野】
【０００１】
この発明は、マンションなどの集合住宅に設置されるエレベータの制御装置に関するものである。
【背景技術】
【０００２】
近年、エレベータを制御する制御装置は、マイクロコンピュータの採用により、大量の情報の演算処理と、高度な制御を実現することが可能となってきた。これに伴ない、マンションを始めとする共同集合住宅に設置されるエレベータでは、使い勝手とセキュリティを重視したビル内のホームオートメーション機器と連動した制御システムが見られるようになってきた。この制御システムでは、マンション内の各住戸の鍵、非接触ＩＣカード、または指紋照合装置などの登録者を識別するＩＤ照合装置を利用し、その照合の結果、登録者照合確認信号が得られた場合に、初めてエレベータの制御が可能となるように構成して、セキュリティの向上が図られる。
【０００３】
例えば、下記特許文献１の特公平７−１１５８０４号公報には、特定登録者であることを確認することにより、玄関扉を開錠するとともに、玄関階へのエレベータの呼びを登録し、エレベータかごが玄関階に到着したときに、行先階への登録を行なうものが開示されている。また、下記特許文献２の特開２００２−３４８０５３号公報には、集合住宅の各住戸に、集合住宅の玄関扉を開錠する開錠手段を設け、この開錠手段が操作されたときに、エレベータを集合住宅の玄関階（ロビー階）に、エレベータ扉を閉めた状態で待機させ、玄関階のエレベータ乗場に設置された信号入力装置、例えば非接触キーリーダまたはテンキー操作盤からの入力信号と、予め登録者が登録した登録信号とを照合し、それらが一致して登録者照合確認信号が得られたときに、エレベータ扉を開くものが開示されている。また、下記特許文献３の特開２００４−４３０４２号公報には、エレベータの乗場に開錠装置を設け、この開錠装置を共同住宅の各住戸のカードキーで開錠操作できるようにしたものが開示されている。
【０００４】
【特許文献１】特公平７−１１５８０４号公報
【特許文献２】特開２００２−３４８０５３号公報
【特許文献３】特開２００４−４３０４２号公報
【発明の開示】
【発明が解決しようとする課題】
【０００５】
しかし、各特許文献では、エレベータの動作と関連して、エレベータの非サービス階を設定することについては開示されておらず、この非サービス階の設定については、必要以上に非サービス階を設定すれば、往来に障害が生じ、利便性が悪くなる不都合もある。
【０００６】
この発明は、エレベータの動作に関連して効果的な非サービス階設定を行なうように改良し、セキュリティと利便性を向上できるエレベータの制御装置を提案するものである。
【課題を解決するための手段】
【０００７】
この発明の第１の観点によるエレベータの制御装置は、複数の住戸と、玄関階を含む複数のサービス階と、中央制御装置を備え、玄関には玄関扉と玄関用ＩＤ照合装置が、玄関階のエレベータ乗場には乗場用ＩＤ照合装置が、また各住戸にはインターホンがそれぞれ設置され、中央制御装置が、玄関用ＩＤ照合装置からの認証者確認信号またはインターホンからの開錠信号に基づき、玄関扉を開錠するように構成された集合住宅におけるエレベータの制御装置であって、このエレベータの制御装置は、中央制御装置に接続されたエレベータ制御回路を有し、中央制御装置がこのエレベータ制御回路に目的階指定信号を供給するように構成され、このエレベータ制御回路は、各サービス階に対するエレベータの運行制御手段と、この運行制御手段に接続された乗場呼び非サービス階設定手段と、乗場呼び自動登録手段と、かご呼び非サービス階設定手段とを有し、乗場呼び非サービス階設定手段は、通常状態では、玄関階でのエレベータの乗場呼びを登録不能とする機能を有し、また、乗場呼び自動登録手段は、乗場用ＩＤ照合装置からの認証者確認信号またはインターホンからの開錠信号に基づき、玄関階でのエレベータの乗場呼びを自動登録する機能を有し、また、かご呼び非サービス階設定手段は、エレベータかごが玄関階に到着したときに、玄関階と、前記目的階指定信号により指定された目的階とを除く他の各サービス階へのかご呼びを一時的に登録不能とし、また、かご呼びまたは途中のサービス階の乗場呼びに応答すると、かご呼びを登録可能とする機能を有することを特徴とする。
【０００８】
また、この発明の第２の観点によるエレベータの制御装置は、複数の住戸と、玄関階を含む複数のサービス階と、中央制御装置を備え、玄関には玄関扉と玄関用ＩＤ照合装置が、玄関階のエレベータ乗場には乗場用ＩＤ照合装置が、また各住戸にはインターホンがそれぞれ設置され、中央制御装置が、玄関用ＩＤ照合装置からの認証者確認信号またはインターホンからの開錠信号に基づき、玄関扉を開錠するように構成された集合住宅におけるエレベータの制御装置であって、エレベータの制御装置は、中央制御装置に接続されたエレベータ制御回路を有し、中央制御装置がこのエレベータ制御回路に目的階指定信号を供給するように構成され、エレベータ制御回路は、各サービス階に対するエレベータの運行制御手段と、この運行制御手段に接続された乗場呼び非サービス階設定手段と、乗場呼び自動登録手段と、かご呼び非サービス階設定手段と、かご呼び自動登録手段とを有し、乗場呼び非サービス階設定手段は、通常状態では、玄関階でのエレベータの乗場呼びを登録不能とする機能を有し、また、乗場呼び自動登録手段は、乗場用ＩＤ照合装置からの認証者確認信号またはインターホンからの開錠信号に基づき、玄関階でのエレベータの乗場呼びを自動登録する機能を有し、また、かご呼び非サービス階設定手段は、エレベータかごが玄関階に到着したときに、玄関階以外の各サービス階へのかご呼びを登録不能とし、かご呼びまたは途中のサービス階の乗場呼びに応答すると、かご呼びを登録可能とする機能を有し、また、かご呼び自動登録手段は、玄関階において乗客の乗車を検出したときに、目的階指定信号により指定された目的階へのかご呼びを自動登録する機能を有することを特徴とする。
【０００９】
さらに、この発明の第３の観点によるエレベータの制御装置は、複数の住戸と、玄関階を含む複数のサービス階と、中央制御装置を備え、玄関には玄関扉と玄関用ＩＤ照合装置が、玄関階のエレベータ乗場には乗場用ＩＤ照合装置が、また各住戸にはインターホンがそれぞれ設置され、中央制御装置が、玄関用ＩＤ照合装置からの認証者確認信号またはインターホンからの開錠信号に基づき、玄関扉を開錠するように構成された集合住宅におけるエレベータの制御装置であって、このエレベータの制御装置は、中央制御装置に接続されたエレベータ制御回路を有し、中央制御装置がエレベータ制御回路に目的階指定信号を供給するように構成され、このエレベータ制御回路は、各サービス階に対するエレベータの運行制御手段と、この運行制御手段に接続された乗場呼び非サービス階設定手段と、かご呼び非サービス階設定手段とを有し、前記乗場呼び非サービス階設定手段は、通常状態では、玄関階でのエレベータの乗場呼びを登録不能とし、乗場用ＩＤ照合装置からの認証者確認信号または前記インターホンからの開錠信号に基づき、玄関階でのエレベータの乗場呼びを一時的に登録可能とする機能を有し、また、前記かご呼び非サービス階設定手段は、エレベータかごが玄関階に到着したときに、玄関階と、前記目的階指定信号により指定された目的階とを除く他の各サービス階へのかご呼びを一時的に登録不能とし、また、かご呼びまたは途中のサービス階の乗場呼びに応答すると、かご呼びを登録可能とする機能を有することを特徴とする。
【発明の効果】
【００１０】
この発明の第１の観点によるエレベータの制御装置では、乗場呼び非サービス階設定手段は、通常状態では、玄関階でのエレベータの乗場呼びを登録不能とする機能を有し、また、乗場呼び自動登録手段は、乗場用ＩＤ照合装置からの認証者確認信号またはインターホンからの開錠信号に基づき、玄関階でのエレベータの乗場呼びを自動登録する機能を有し、また、かご呼び非サービス階設定手段は、エレベータかごが玄関階に到着したときに、玄関階と、目的階指定信号により指定された目的階とを除く他の各サービス階へのかご呼びを一時的に登録不能とし、また、かご呼びまたは途中のサービス階の乗場呼びに応答すると、かご呼びを登録可能とする機能を有するので、通常状態では、乗場呼び非サービス階設定手段により、セキュリティを確保し、乗場用ＩＤ照合装置からの認証者確認信号または各住戸のインターホンからの開錠信号が発生したときには、乗場呼び自動登録手段により、玄関階での乗場呼びを効果的に行ない、エレベータの利便性を向上することができる。
【００１１】
また、この発明の第２の観点によるエレベータの制御装置では、乗場呼び非サービス階設定手段は、通常状態では、玄関階でのエレベータの乗場呼びを登録不能とする機能を有し、また、乗場呼び自動登録手段は、乗場用ＩＤ照合装置からの認証者確認信号またはインターホンからの開錠信号に基づき、玄関階でのエレベータの乗場呼びを自動登録する機能を有し、また、かご呼び非サービス階設定手段は、エレベータかごが玄関階に到着したときに、玄関階以外の各サービス階へのかご呼びを登録不能とし、かご呼びまたは途中のサービス階の乗場呼びに応答すると、かご呼びを再び登録可能とする機能を有し、また、かご呼び自動登録手段は、玄関階において乗客の乗車を検出したときに、目的階指定信号により指定された目的階へのかご呼びを自動登録する機能を有するので、通常状態では、乗場呼び非サービス階設定手段により、セキュリティを確保し、また乗場用ＩＤ照合装置からの認証者確認信号またはインターホンからの開錠信号が発生したときには、乗場呼び自動登録手段により、利便性を向上させ、またエレベータかごが玄関階に到着したときには、かご呼び非サービス階設定手段により、セキュリティを確保し、また乗客が乗車したときには、かご呼び自動登録手段により、目的階へのかご呼びを自動登録することにより、利便性を向上することができる。
【００１２】
また、この発明の第３の観点におけるエレベータの制御装置では、乗場呼び非サービス階設定手段は、通常状態では、玄関階でのエレベータの乗場呼びを登録不能とし、乗場用ＩＤ照合装置からの認証者確認信号またはインターホンからの開錠信号に基づき、玄関階でのエレベータの乗場呼びを一時的に登録可能とする機能を有し、また、かご呼び非サービス階設定手段は、エレベータかごが玄関階に到着したときに、玄関階と、目的階指定信号により指定された目的階とを除く他の各サービス階へのかご呼びを一時的に登録不能とし、また、かご呼びまたは途中のサービス階の乗場呼びに応答すると、かご呼びを登録可能とする機能を有するので、通常状態では、乗場呼び非サービス階設定手段によりセキュリティを確保し、乗場用ＩＤ照合装置からの認証者確認信号または各住戸のインターホンからの開錠信号が発生したときにも、乗場呼び非サービス階設定手段により、玄関階でのエレベータの乗場呼びを一時的に可能として、エレベータの利便性を向上することができる。
【発明を実施するための最良の形態】
【００１３】
以下この発明のいくつかの実施の形態について、図面を参照して説明する。
【００１４】
実施の形態１．
図１は、この発明の第１の観点によるエレベータの制御装置の実施の形態１を示すブロック回路図である。この実施の形態１のエレベータの制御装置は、マンションなどの集合住宅におけるエレベータの制御装置である。集合住宅は、複数の住戸と、玄関階（ロビー階）を含む複数のサービス階を有し、これらの複数サービス階に複数の住戸を分散して構成される。エレベータは、玄関階を含む複数サービス階に運行される。
【００１５】
集合住宅には、玄関扉１と、玄関用ＩＤ照合装置２と、乗場用ＩＤ照合装置３と、ＩＤ照合装置コントローラ４と、住戸管理中央制御装置５と、インターホン６と、エレベータ制御回路７と、エレベータの上昇指示ボタン１７Ａとその上昇・下降指示ボタン１７Ｂが設置される。
【００１６】
玄関扉１は、集合住宅の玄関階に設置される。玄関用ＩＤ照合装置２は、集合住宅の玄関階において、玄関扉１の外部において、玄関扉１の近くに設置され、玄関扉１を開錠する。この玄関用ＩＤ照合装置２は、例えば非接触キーを用いる照合装置、非接触ＩＣカードを用いる照合装置、または指紋照合装置などにより構成され、入力される非接触キー、非接触ＩＣカードまたは指紋照合装置からの入力信号が、予め登録された認証者の登録信号と一致したときに、認証者確認信号ＩＤＳ１を発生する。
【００１７】
乗場用ＩＤ照合装置３は、集合住宅の玄関階のエレベータ乗場に設置される。この乗場用ＩＤ照合装置３も、例えば非接触キーを用いる照合装置、非接触ＩＣカードを用いる照合装置、または指紋照合装置などにより構成され、入力される非接触キー、非接触ＩＣカードまたは指紋照合装置からの入力信号が、予め登録された認証者の登録信号と一致したときに、認証者確認信号ＩＤＳ２を発生する。
【００１８】
ＩＤ照合装置コントローラ４は、玄関用ＩＤ照合装置２および乗場用ＩＤ照合装置３に接続され、これらを制御するもので、玄関用ＩＤ照合装置２および乗場用ＩＤ照合装置３からの認証者確認信号ＩＤＳ１、ＩＤＳ２を受ける。
【００１９】
インターホン６は、複数個用意され、集合住宅の各住戸のそれぞれに設置される。このインターホン６は、玄関扉１を開錠する開錠信号発生手段を内蔵しており、この開錠信号発生手段は、開錠信号ＵＬＳを発生する。
【００２０】
住戸管理中央制御装置５は、玄関扉１と、ＩＤ照合装置コントローラ４と、インターホン６と、エレベータ制御回路７に接続される。この中央制御装置５は、ＩＤ照合装置コントローラ４から、玄関用ＩＤ照合装置２からの認証者確認信号ＩＤＳ１を受けたときに、玄関扉１を開錠する。また各インターホン６から開錠信号ＵＬＳを受けたときにも、玄関扉１を開錠する。中央制御装置５は、通信コントローラ８を介して、エレベータ制御回路７に接続される。この通信コントローラ８は、中央制御装置５とエレベータ制御回路７との間のシリアル通信を行なう。
【００２１】
エレベータ制御回路７は、通信バス１８と、エレベータの運行制御手段９、乗場呼び自動登録手段１０、乗場呼び非サービス階設定手段１２、エレベータかご通信手段１４および乗場通信手段１５を有する。
【００２２】
通信バス１８は通信コントローラ８、運行制御手段９、かご通信手段１４および乗場通信手段１５に接続される。運行制御手段９には、乗場呼び自動登録手段１０と、乗場呼び非サービス階設定手段１２が接続される。乗場呼び非サービス階設定手段１２は、通常状態では、集合住宅の玄関階における乗場呼びを登録不能にする機能を有する。乗場呼び自動登録手段１０は、中央制御装置５が、乗場用ＩＤ照合装置３からの認証者確認信号ＩＤＳ２または各インターホン６からの開錠信号ＵＬＳを受けたときに、これらの認証者確認信号ＩＤＳ２または開錠信号ＵＬＳに基づいて、玄関階における乗場呼びを自動登録する機能を有する。
【００２３】
かご通信手段１４には、エレベータかご内の行先階指示ボタン１６が接続される。また、乗場通信手段１５には、上昇指示ボタン１７Ａと上昇・下降指示ボタン１７Ｂが接続される。上昇指示ボタン１７Ａは、集合住宅の玄関階のエレベータ乗場に設置され、また上昇・下降指示ボタン１７Ｂは、玄関階以外の他の各サービス階のエレベータ乗場に設置される。
【００２４】
図２は実施の形態１の動作フローチャートである。この動作フローチャートは、乗場用ＩＤ照合装置３が認証者確認信号ＩＤＳ２を発生する場合のフローチャートである。
【００２５】
図２の動作フローチャートは、開始ステップと終了ステップとの間に、５つのステップＳＴ２１からＳＴ２５を含んでいる。開始ステップでは、通常状態として、乗場呼び非サービス階設定手段１２により、玄関階での乗場呼びを登録不能としている。最初のステップＳＴ２１では、玄関階の乗場用ＩＤ照合装置３により、利用者の照合が行なわれ、利用者が予め登録された認証者であれば、この乗場用ＩＤ照合装置３から認証者確認信号ＩＤＳ２を受ける。次のステップＳＴ２２では、認証者確認信号ＩＤＳ２に基づき、乗場呼び自動登録手段１０により、玄関階での乗場呼びが自動登録される。
【００２６】
次のステップＳＴ２３では、エレベータかごが玄関階に到着する。次のステップＳＴ２４では、エレベータの利用者が、エレベータかご内において、行先階指示ボタン１６を操作することにより、希望する目的階へのかご呼びが登録される。このステップＳＴ２４では、すべての行先階へのかご呼びが登録可能となっている。次のステップＳＴ２５では、エレベータかごが登録された目的階に到着する。
【００２７】
なお、インターホン６が開錠信号ＵＬＳを発生する場合には、図２のステップＳＴ２１で、インターホン６から開錠信号ＵＬＳを受け、次のステップＳＴ２２で、開錠信号ＵＬＳに基づき、乗場呼び自動登録手段１０が、玄関階での乗場呼びを自動登録する。それ以外は、図２と同じである。
【００２８】
この実施の形態１では、乗場呼び非サービス階設定手段１２は、通常状態では、玄関階でのエレベータの乗場呼びを登録不能とする機能を有し、また、乗場呼び自動登録手段１０は、乗場用ＩＤ照合装置３からの認証者確認信号ＩＤＳ２または各インターホン６からの開錠信号ＵＬＳに基づき、玄関階でのエレベータの乗場呼びを自動登録する機能を有するので、通常状態では、乗場呼び非サービス階設定手段１２により、セキュリティを確保し、乗場用ＩＤ照合装置３からの認証者確認信号ＩＤＳ２または各住戸のインターホン６からの開錠信号ＵＬＳが発生したときには、玄関階での乗場呼びを効果的に行ない、エレベータの利便性を向上することができる。
【００２９】
実施の形態２．
図３は、この発明の第１の観点によるエレベータの制御装置の実施の形態２を示すブロック回路図であり、図４は、この実施の形態２の動作フローチャートを示す。
【００３０】
この実施の形態２のエレベータの制御装置は、実施の形態１を変形したものである。この実施の形態２では、図３に示すように、実施の形態１に加えて、エレベータ制御回路７において、運行制御手段９に、さらにかご呼び非サービス階設定手段１３が接続される。
【００３１】
また、この実施の形態２では、住戸管理中央制御装置５は、乗場用ＩＤ照合装置３からの認証者確認信号ＩＤＳ２またはインターホン６からの開錠信号ＵＬＳを内部で処理することにより、目的階指定信号ＯＡＳを発生し、この目的階指定信号ＯＡＳをエレベータ制御回路７に供給するように構成される。
または、この実施の形態２において、ＩＤ照合装置コントローラ４が、乗場用ＩＤ照合装置３からの認証者確認信号ＩＤＳ２を内部で処理することにより、目的階指定信号ＯＡＳを発生し、この目的階指定信号ＯＡＳを住戸管理中央制御装置５に供給するように構成することもできる。この場合、住戸管理中央制御装置５は、インターホン６からの開錠信号ＵＬＳに基づいて発生した目的階指定信号ＯＡＳと、ＩＤ照合装置コントローラ４から供給された目的階指定信号ＯＡＳとを、エレベータ制御回路７に供給するように構成される。その他は、実施の形態１と同じに構成される。
【００３２】
かご呼び非サービス階設定手段１３は、エレベータかごが玄関階に到着したときに、この玄関階と、目的階指定信号ＯＡＳにより指定された目的階とを除く他の各サービス階へのかご呼びを一時的に登録不能とし、またかご呼びまたは途中のサービス階の乗場呼びに応答したときに、かご呼びを登録可能とする機能を有する。
【００３３】
図４は、乗場用ＩＤ照合装置３が認証者確認信号ＩＤＳ２を発生する場合の動作フローチャートである。この動作フローチャートは、開始ステップと終了ステップとの間に７つのステップＳＴ３１からＳＴ３７を含む。
【００３４】
開始ステップでは、通常状態として、乗場呼び非サービス階設定手段１２により、玄関階での乗場呼びを登録不能としている。最初のステップＳＴ３１では、玄関階の乗場用ＩＤ照合装置３による照合が行なわれ、この乗場用ＩＤ照合装置３が認証者確認信号ＩＤＳ２を発生する。次のステップＳＴ３２では、認証者確認信号ＩＤＳ２に基づき、乗場呼び自動登録手段１０が玄関階での乗場呼びを自動登録する。
【００３５】
次のステップＳＴ３３では、エレベータかごが玄関階に到着する。次のステップＳＴ３４では、中央制御装置５からの目的階指定信号ＯＡＳに基づき、かご呼び非サービス階設定手段１３が、玄関階と、目的階指定信号ＯＡＳにより指定された目的階とを除く他の各サービス階へのかご呼びを、一時的に、所定時間に限り、登録不能とする。次のステップＳＴ３５では、乗車した利用者がエレベータかご内において、行先階指示ボタン１６を操作することにより、希望する目的階へのかご呼びが登録される。次のステップＳＴ３６では、エレベータかごが指示された目的階に到着する。次のステップＳＴ３７では、かご呼び非サービス階設定手段１３により登録不能とされていたかご呼びを登録可能とする。
【００３６】
なお、インターホン６が開錠信号ＵＬＳを発生する場合には、図４のステップＳＴ３１で、インターホン６から開錠信号ＵＬＳを受け、次のステップＳＴ３２で、開錠信号ＵＬＳに基づき、乗場呼び自動登録手段１０が、玄関階での乗場呼びを自動登録する。それ以外は、図４と同じである。
【００３７】
この実施の形態２では、乗場呼び非サービス階設定手段１２と乗場呼び自動登録手段１０に加えて、かご呼び非サービス階設定手段１３を設け、このかご呼び非サービス階設定手段１３が、エレベータかごが玄関階に到着したときに、この玄関階と、目的階指定信号ＯＡＳにより指定された目的階とを除く他の各サービス階へのかご呼びを一時的に登録不能とするので、セキュリティを確保することができ、このかご呼び非サービス階設定手段１３は、かご呼びまたは途中のサービス階の乗場呼びに応答すると、かご呼びを登録可能とする機能を有するので、利便性を向上することができる。
【００３８】
実施の形態３．
図５は、この発明の第２の観点によるエレベータの制御装置の実施の形態３を示すブロック回路図であり、図６はその動作フローチャートである。
【００３９】
この実施の形態３のエレベータの制御装置は、実施の形態２をさらに変形したものである。この実施の形態３では、図５に示すように、実施の形態２におけるかご呼び非サービス階設定手段１３に代わって、かご呼び非サービス階設定手段１３Ａを使用し、また運行制御手段９に、さらに、かご呼び自動登録手段１１が接続される。その他は、実施の形態２と同じに構成される。
【００４０】
この実施の形態３では、実施の形態２と同様に、住戸管理中央制御装置５は、乗場用ＩＤ照合装置３からの認証者確認信号ＩＤＳ２またはインターホン６からの開錠信号ＵＬＳを内部で処理することにより、目的階指定信号ＯＡＳを発生し、この目的階指定信号ＯＡＳをエレベータ制御回路７に供給するように構成される。
または、ＩＤ照合装置コントローラ４が、乗場用ＩＤ照合装置３からの認証者確認信号ＩＤＳ２を内部で処理することにより、目的階指定信号ＯＡＳを発生し、この目的階指定信号ＯＡＳを住戸管理中央制御装置５に供給するように構成され、住戸管理中央制御装置５は、インターホン６からの開錠信号ＵＬＳに基づいて発生した目的階指定信号ＯＡＳと、ＩＤ照合装置コントローラ４からの目的階指定信号ＯＡＳとをエレベータ制御回路７に供給するように構成される。
【００４１】
実施の形態２におけるかご呼び非サービス階設定手段１３は、エレベータかごが玄関階に到着したときに、玄関階と、目的階指定信号ＯＡＳにより指定された目的階とを除く他の各サービス階へのかご呼びを一時的に登録不能とする機能を有するが、この実施の形態３におけるかご呼び非サービス階設定手段１３Ａは、エレベータかごが玄関階に到着したときに、玄関階以外の各サービス階へのかご呼びを登録不能とし、かご呼びまたは途中のサービス階の乗場呼びに応答すると、かご呼びを再び登録可能とする機能を有する。
【００４２】
また、かご呼び自動登録手段１１は、玄関階において乗客の乗車を検出したときに、目的階指定信号ＯＡＳにより指定された目的階へのかご呼びを自動的に登録する機能を有し、利便性の向上を図る。
【００４３】
図６は、乗場用ＩＤ照合装置３が認証者確認信号ＩＤＳ２を発生する場合の動作フローチャートである。この動作フローチャートは、開始ステップと終了ステップとの間に８つのステップＳＴ４１からＳＴ４８を含む。
【００４４】
開始ステップでは、通常状態として、乗場呼び非サービス階設定手段１２により、玄関階での乗場呼びを登録不能としている。最初のステップＳＴ４１では、玄関階の乗場用ＩＤ照合装置３による照合が行なわれ、この乗場用ＩＤ照合装置３が認証者確認信号ＩＤＳ２を発生する。次のステップＳＴ４２では、認証者確認信号ＩＤＳ２に基づき、乗場呼び自動登録手段１０が玄関階での乗場呼びを自動登録する。
【００４５】
次のステップＳＴ４３では、エレベータかごが玄関階に到着する。次のステップＳＴ４４では、中央制御装置５からの目的階指定信号ＯＡＳに基づき、かご呼び非サービス階設定手段１３Ａが、玄関階以外の他の各サービス階へのかご呼びを登録不能とする。次のステップＳＴ４５では、玄関階において、乗客の乗車を検出する。次のステップＳＴ４６では、目的階指定信号ＯＡＳに基づき、かご呼び自動登録手段１１が、目的階へのかご呼びを自動登録する。次のステップＳＴ４７では、エレベータかごが指示された目的階に到着する。次のステップＳＴ４８では、かご呼び非サービス階設定手段１３Ａにより登録不能とされていたかご呼びを登録可能とする。
【００４６】
なお、インターホン６が開錠信号ＵＬＳを発生する場合には、図６のステップＳＴ４１で、インターホン６から開錠信号ＵＬＳと目的階指定信号ＯＡＳを受け、次のステップＳＴ４２で、開錠信号ＵＬＳに基づき、乗場呼び自動登録手段１０が、玄関階での乗場呼びを自動登録する。それ以外は、図６と同じである。
【００４７】
この実施の形態３では、乗場呼び非サービス階設定手段１２と、乗場呼び自動登録手段１０と、かご呼び非サービス階設定手段１３Ａと、かご呼び自動登録手段１１を設け、かご呼び非サービス階設定手段１３Ａが、エレベータかごが玄関階に到着したときに、玄関階以外の各サービス階へのかご呼びを登録不能とするので、セキュリティが確保され、またこのかご呼び非サービス階設定手段１３Ａは、かご呼びまたは途中のサービス階の乗場呼びに応答すると、かご呼びを再び登録可能とし、かご呼び自動登録手段１１が、玄関階において乗客の乗車を検出したときに、目的階指定信号ＯＡＳにより指定された目的階へのかご呼びを自動登録する機能を有するので、さらに利便性を向上することができる。
【００４８】
実施の形態４．
この実施の形態４は、この発明の第３の観点におけるエレベータの制御装置の実施の形態である。図７は、この実施の形態４によるエレベータの制御装置を示すブロック回路図であり、図８はその動作フローチャートである。
【００４９】
この実施の形態４によるエレベータの制御装置は、実施の形態３をさらに変形したものである。この実施の形態４では、図７に示すように、エレベータ制御回路７において、運行制御手段９に、乗場呼び非サービス階設定手段１２と、乗場呼び自動登録手段１０と、かご呼び非サービス階設定手段１３Ｂと、かご呼び自動登録手段１１とが接続される。
【００５０】
また、この実施の形態４では、実施の形態３と同様に、住戸管理中央制御装置５は、乗場用ＩＤ照合装置３からの認証者確認信号ＩＤＳ２またはインターホン６からの開錠信号ＵＬＳを内部で処理することにより、目的階指定信号ＯＡＳを発生し、この住戸管理中央制御装置５がエレベータ制御回路７に目的階指定信号ＯＡＳを供給するように構成される。
または、ＩＤ照合装置コントローラ４が、乗場用ＩＤ照合装置３からの認証者確認信号ＩＤＳ２を内部で処理することにより、目的階指定信号ＯＡＳを発生し、この目的階指定信号ＯＡＳを住戸管理中央制御装置５に供給するように構成され、住戸管理中央制御装置５は、インターホン６からの開錠信号ＵＬＳに基づいて発生した目的階指定信号ＯＡＳと、ＩＤ照合装置コントローラ４からの目的階指定信号ＯＡＳとをエレベータ制御回路７に供給するように構成される。
【００５１】
実施の形態３では、かご呼び非サービス階設定手段１３Ａが、エレベータかごが玄関階に到着したときに、玄関階以外の各サービス階へのかご呼びを登録不能とし、かご呼びまたは途中サービス階の乗場呼びに応答すると、かご呼びを再び登録可能とする機能を有するものとしたが、この実施の形態４では、かご呼び非サービス階設定手段１３Ｂが、通常状態では、玄関階以外の他の各サービス階へのかご呼びを登録不能とする機能を有するものとされる。その他は実施の形態３と同じである。
【００５２】
図８は、乗場用ＩＤ照合装置３が認証者確認信号ＩＤＳ２を発生する場合の動作フローチャートである。この動作フローチャートは、開始ステップと終了ステップとの間に６つのステップＳＴ５１からＳＴ５６を含む。
【００５３】
開始ステップでは、通常状態として、乗場呼び非サービス階設定手段１２により、玄関階での乗場呼びを登録不能としている。最初のステップＳＴ５１では、玄関階の乗場用ＩＤ照合装置３による照合が行なわれ、この乗場用ＩＤ照合装置３が認証者確認信号ＩＤＳ２を発生する。次のステップＳＴ５２では、認証者確認信号ＩＤＳ２に基づき、乗場呼び自動登録手段１０が、玄関階での乗場呼びを自動登録する。
【００５４】
次のステップＳＴ５３では、エレベータかごが玄関階に到着する。次のステップＳＴ５４では、玄関階において、乗客の乗車を検出する。次のステップＳＴ５５では、中央制御装置５からの目的階指定信号ＯＡＳに基づき、かご呼び自動登録手段１１が、目的階へのかご呼びを自動登録する。次のステップＳＴ５６では、エレベータかごが指示された目的階に到着する。
【００５５】
なお、インターホン６が開錠信号ＵＬＳを発生する場合には、図８のステップＳＴ５１で、インターホン６から開錠信号ＵＬＳを受け、次のステップＳＴ５２で、開錠信号ＵＬＳに基づき、乗場呼び自動登録手段１０が玄関階での乗場呼びを自動登録する。それ以外は、図８と同じである。
【００５６】
実施の形態４では、乗場呼び非サービス階設定手段１２と、乗場呼び自動登録手段１０と、かご呼び非サービス階設定手段１３Ｂと、かご呼び自動登録手段１１を設け、かご呼び非サービス階設定手段１３Ｂが、エレベータかごが玄関階に到着したときに、玄関階以外のサービス階へのかご呼びを登録不能とするので、セキュリティが確保され、またかご呼び自動登録手段１１が、玄関階において乗客の乗車を検出したときに、目的階指定信号ＯＡＳにより指定された目的階へのかご呼びを自動登録する機能を有するので、利便性を向上することができる。
【００５７】
実施の形態５．
この実施の形態５は、この発明の第４の観点におけるエレベータの制御装置の実施の形態である。図９は、この実施の形態５によるエレベータの制御装置を示すブロック回路図であり、図１０はその動作フローチャートである。
【００５８】
この実施の形態５によるエレベータの制御装置は、実施の形態２を変形したものである。この実施の形態５では、図９に示すように、エレベータ制御回路７において、運行制御手段９に、乗場呼び非サービス階設定手段１２と、乗場呼び自動登録手段１０と、かご呼び非サービス階設定手段１３Ｃとが接続される。
【００５９】
この実施の形態５では、実施の形態２と同様に、住戸管理中央制御装置５は、乗場用ＩＤ照合装置３からの認証者確認信号ＩＤＳ２またはインターホン６からの開錠信号ＵＬＳを内部で処理することにより、目的階指定信号ＯＡＳを発生し、この住戸管理中央制御装置５がエレベータ制御回路７に目的階指定信号ＯＡＳを供給するように構成される。
または、ＩＤ照合装置コントローラ４が、乗場用ＩＤ照合装置３からの認証者確認信号ＩＤＳ２を内部で処理することにより、目的階指定信号ＯＡＳを発生し、この目的階指定信号ＯＡＳを住戸管理中央制御装置５に供給するように構成され、住戸管理中央制御装置５は、インターホン６からの開錠信号ＵＬＳに基づいて発生した目的階指定信号ＯＡＳと、ＩＤ照合装置コントローラ４からの目的階指定信号ＯＡＳとをエレベータ制御回路７に供給するように構成される。
【００６０】
実施の形態２では、かご呼び非サービス階設定手段１３が、エレベータかごが玄関階に到着したときに、玄関階と、目的階指定信号ＯＡＳにより指定された目的階とを除く他の各サービス階へのかご呼びを一時的に登録不能とし、かご呼びまたは途中のサービス階の乗場呼びに応答すると、かご呼びを再び登録可能とする機能を有するものとしたが、この実施の形態５では、かご呼び非サービス階設定手段１３Ｃが、通常状態では、玄関階以外へのかご呼びを登録不能とし、エレベータかごが玄関階に到着したときに、目的階指定信号ＯＡＳにより指定された目的階のみへのかご呼びを一時的に登録可能とする機能を有するものとされる。その他は実施の形態２と同じである。
【００６１】
図１０は、乗場用ＩＤ照合装置３が認証者確認信号ＩＤＳ２を発生する場合の動作フローチャートである。この動作フローチャートは、開始ステップと終了ステップとの間に７つのステップＳＴ６１からＳＴ６７を含む。
【００６２】
開始ステップでは、通常状態として、乗場呼び非サービス階設定手段１２により、玄関階での乗場呼びを登録不能としている。最初のステップＳＴ６１では、玄関階の乗場用ＩＤ照合装置３による照合が行なわれ、この乗場用ＩＤ照合装置３が認証者確認信号ＩＤＳ２を発生する。次のステップＳＴ６２では、認証者確認信号ＩＤＳ２に基づき、乗場呼び自動登録手段１０が、玄関階での乗場呼びを自動登録する。
【００６３】
次のステップＳＴ６３では、エレベータかごが玄関階に到着する。次のステップＳＴ６４では、中央制御装置５からの目的階指定信号ＯＡＳに基づき、かご呼び非サービス階設定手段１３Ｃが、目的階指定信号ＯＡＳにより指定された目的階のみへのかご呼びの登録を一時的に、所定時間に限り、可能とする。次のステップＳＴ６５では、乗車した乗客により、目的階へのかご呼びが登録される。次のステップＳＴ６６では、エレベータかごが指示された目的階に到着する。次のステップＳＴ６７では、かご呼び非サービス階設定手段１３Ｃにより、目的階指定信号ＯＡＳにより指定された目的階へのかご呼びを登録不能とする。
【００６４】
なお、インターホン６が開錠信号ＵＬＳを発生する場合には、図１０のステップＳＴ６１で、インターホン６から開錠信号ＵＬＳを受け、次のステップＳＴ６２で、開錠信号ＵＬＳに基づき、乗場呼び自動登録手段１０が、玄関階での乗場呼びを自動登録する。それ以外は、図１０と同じである。
【００６５】
実施の形態５では、乗場呼び非サービス階設定手段１２と、乗場呼び自動登録手段１０と、かご呼び非サービス階設定手段１３Ｃとを設け、かご呼び非サービス階設定手段１３Ｃが、通常状態では、玄関階以外の各サービス階へのかご呼びを登録不能とし、エレベータかごが玄関階に到着したときに、目的階指定信号ＯＡＳにより指定された目的階のみへのかご呼びを一時的に登録可能とするので、セキュリティが確保され、また利便性を向上することができる。
【００６６】
実施の形態６．
この実施の形態６は、この発明の第５の観点におけるエレベータの制御装置の実施の形態である。図１１は、この実施の形態６によるエレベータの制御装置を示すブロック回路図であり、図１２はその動作フローチャートである。
【００６７】
この実施の形態６によるエレベータの制御装置は、実施の形態１を変形したものである。この実施の形態６では、図１１に示すように、図１の乗場呼び自動登録手段１０が削除され、また、乗場呼び非サービス階設定手段１２に代わって、乗場呼び非サービス階設定手段１２Ａが用いられる。その他は、実施の形態１と同じに構成される。
【００６８】
実施の形態１の乗場呼び非サービス階設定手段１２は、通常状態では、玄関階での乗場呼びを登録不能とする機能を有するが、この実施の形態６の乗場呼び非サービス階設定手段１２Ａは、通常状態では、玄関階での乗場呼びを登録不能とし、乗場用ＩＤ照合手段３が認証者確認信号ＩＤＳ２を発生したとき、またはインターホン６が開錠信号ＵＬＳを発生したとき、玄関階での乗場呼びを一時的に登録可能とする機能を有する。この乗場呼び非サービス階設定手段１２Ａにより、玄関階での乗場呼びを一時的に登録可能とする機能は、所定時間に限り、玄関階での乗場呼びを登録可能とするもので、所定時間の経過後には、玄関階での乗場呼びは登録不能とされる。
【００６９】
図１２の動作フローチャートは、乗場用ＩＤ照合装置３が認証者確認信号ＩＤＳ２を発生する場合のフローチャートである。図１２の動作フローチャートは、開始ステップと終了ステップとの間に、６つのステップＳＴ７１からＳＴ７６を含んでいる。
【００７０】
開始ステップでは、通常状態として、乗場呼び非サービス階設定手段１２Ａにより、玄関階での乗場呼びを登録不能としている。最初のステップＳＴ７１では、玄関階の乗場用ＩＤ照合装置３による照合が行なわれ、この乗場用ＩＤ照合装置３が認証者確認信号ＩＤＳ２を発生する。次のステップＳＴ７２では、認証者確認信号ＩＤＳ２に基づき、乗場呼び非サービス階設定手段１２Ａが、玄関階での乗場呼びを一時的に登録可能とする。次のステップＳＴ７３では、玄関階において、乗客が上昇指示ボタン１７Ａを操作することにより、玄関階での乗場呼びが登録される。
【００７１】
次のステップＳＴ７４では、エレベータかごが玄関階に到着する。次のステップＳＴ７５では、エレベータの利用者が、エレベータかご内において、行先階指示ボタン１６を操作することにより、希望する目的階へのかご呼びが登録される。このステップＳＴ７５では、すべての行先階へのかご呼びが登録可能となっている。次のステップＳＴ７６では、エレベータかごが登録された目的階に到着する。
【００７２】
なお、インターホン６が開錠信号ＵＬＳを発生する場合には、図１２のステップＳＴ７１で、インターホン６から開錠信号ＵＬＳを受け、次のステップＳＴ７２で、開錠信号ＵＬＳに基づき、乗場呼び非サービス階設定手段１２Ａが、玄関階での乗場呼びを一時的に登録可能とする。それ以外は、図１２と同じである。
【００７３】
実施の形態６では、乗場呼び非サービス階設定手段１２Ａは、通常状態では、玄関階でのエレベータの乗場呼びを登録不能とする機能を有し、また、乗場用ＩＤ照合装置３からの認証者確認信号ＩＤＳ２または各インターホン６からの開錠信号ＵＬＳに基づき、玄関階でのエレベータの乗場呼びを一時的に登録可能とする機能を有するので、通常状態では、セキュリティを確実に確保しながら、乗場用ＩＤ照合装置３からの認証者確認信号ＩＤＳ２または各住戸のインターホン６からの開錠信号ＵＬＳが発生したときには、玄関階での乗場呼びを効果的に行ない、エレベータの利便性を向上することができる。
【００７４】
実施の形態７．
この実施の形態７は、この発明の第５の観点におけるエレベータの制御装置の実施の形態である。図１３は、この実施の形態７によるエレベータの制御装置を示すブロック回路図であり、図１４はその動作フローチャートである。
【００７５】
この実施の形態７によるエレベータの制御装置は、実施の形態６をさらに変形したものである。この実施の形態７では、図１３に示すように、また運行制御手段９には、乗場呼び非サービス階設定手段１２Ａに加え、さらに、かご呼び非サービス階設定手段１３が接続される。
【００７６】
また、この実施の形態７では、実施の形態２と同様に、住戸管理中央制御装置５は、乗場用ＩＤ照合装置３からの認証者確認信号ＩＤＳ２またはインターホン６からの開錠信号ＵＬＳを内部で処理することにより、目的階指定信号ＯＡＳを発生し、この住戸管理中央制御装置５がエレベータ制御回路７に目的階指定信号ＯＡＳを供給するように構成される。
または、ＩＤ照合装置コントローラ４が、乗場用ＩＤ照合装置３からの認証者確認信号ＩＤＳ２を内部で処理することにより、目的階指定信号ＯＡＳを発生し、この目的階指定信号ＯＡＳを住戸管理中央制御装置５に供給するように構成され、住戸管理中央制御装置５は、インターホン６からの開錠信号ＵＬＳに基づいて発生した目的階指定信号ＯＡＳと、ＩＤ照合装置コントローラ４からの目的階指定信号ＯＡＳとをエレベータ制御回路７に供給するように構成される。その他は、実施の形態６と同じに構成される。
【００７７】
この実施の形態７のかご呼び非サービス階設定手段１３は、実施の形態２で用いたものと同じであり、エレベータかごが玄関階に到着したときに、玄関階と、目的階指定信号ＯＡＳにより指定された目的階とを除く他の各サービス階へのかご呼びを一時的に登録不能とし、かご呼びまたは途中のサービス階の乗場呼びに応答すると、かご呼びを再び登録可能とする機能を有する。
【００７８】
図１４の動作フローチャートは、乗場用ＩＤ照合装置３が認証者確認信号ＩＤＳ２を発生する場合のフローチャートである。図１４の動作フローチャートは、開始ステップと終了ステップとの間に、８つのステップＳＴ８１からＳＴ８８を含んでいる。
【００７９】
開始ステップでは、通常状態として、乗場呼び非サービス階設定手段１２Ａにより、玄関階での乗場呼びを登録不能としている。最初のステップＳＴ８１では、玄関階の乗場用ＩＤ照合装置３による照合が行なわれ、この乗場用ＩＤ照合装置３が、認証者確認信号ＩＤＳ２を発生する。次のステップＳＴ８２では、認証者確認信号ＩＤＳ２に基づき、乗場呼び非サービス階設定手段１２Ａが、玄関階での乗場呼びを一時的に登録可能とする。次のステップＳＴ８３では、玄関階において、エレベータの利用者が上昇指示ボタン１７Ａを操作することにより、玄関階での乗場呼びが登録される。
【００８０】
次のステップＳＴ８４では、エレベータかごが玄関階に到着する。次のステップＳＴ８５では、かご呼び非サービス階設定手段１３が、中央制御装置５からの目的階指定信号ＯＡＳに基づき、玄関階と、目的階指定信号ＯＡＳにより指定された目的階とを除く他の各サービス階へのかご呼びを登録不能とする。次のステップＳＴ８６では、エレベータの利用者が、エレベータかご内において、行先階指示ボタン１６を操作することにより、希望する目的階へのかご呼びが登録される。次のステップＳＴ８７では、エレベータかごが登録された目的階に到着する。次のステップＳＴ８８では、かご呼び非サービス階設定手段１３が、かご呼びを登録可能とする。
【００８１】
なお、インターホン６が開錠信号ＵＬＳを発生する場合には、図１４のステップＳＴ８１で、インターホン６から開錠信号ＵＬＳを受け、次のステップＳＴ８２で、開錠信号ＵＬＳに基づき、乗場呼び非サービス階設定手段１２Ａが、玄関階で乗場呼びを一時的に登録可能とする。それ以外は、図１４と同じである。
【００８２】
実施の形態７では、乗場呼び非サービス階設定手段１２Ａは、通常状態では、玄関階でのエレベータの乗場呼びを登録不能とする機能を有し、また、乗場用ＩＤ照合装置３からの認証者確認信号ＩＤＳ２または各インターホン６からの開錠信号ＵＬＳに基づき、玄関階でのエレベータの乗場呼びを一時的に登録可能とする機能を有し、またかご呼び非サービス階設定手段１３は、エレベータかごが玄関階に到着したときに、玄関階と、目的階指定信号ＯＡＳにより指定された目的階とを除く他の各サービス階へのかご呼びを一時的に登録不能とし、かご呼びまたは途中のサービス階の乗場呼びに応答すると、かご呼びを再び登録可能とする機能を有するので、通常状態では、乗場呼び非サービス階設定手段１２Ａにより、セキュリティを確保し、またエレベータかごが玄関階に到着したときには、かご呼び非サービス階設定手段１３により、玄関階と、目的階以外のセキュリティを確実に確保しながら、乗場用ＩＤ照合装置３からの認証者確認信号ＩＤＳ２または各住戸のインターホン６からの開錠信号ＵＬＳが発生したときには、玄関階での乗場呼びを効果的に行ない、エレベータの利便性を向上することができる。
【００８３】
実施の形態８．
この実施の形態８は、この発明の第５の観点におけるエレベータの制御装置の実施の形態である。図１５は、この実施の形態８によるエレベータの制御装置を示すブロック回路図であり、図１６はその動作フローチャートである。
【００８４】
この実施の形態８によるエレベータの制御装置は、実施の形態６をさらに変形したものである。この実施の形態８では、図１５に示すように、エレベータ制御回路７の運行制御手段９に、実施の形態６で使用された乗場呼び非サービス階設定手段１２Ａに加え、図９に示した実施の形態５で使用されたかご呼び非サービス階設定手段１３Ｃが接続される。
【００８５】
また、この実施の形態８では、実施の形態７と同様に、住戸管理中央制御装置５は、乗場用ＩＤ照合装置３からの認証者確認信号ＩＤＳ２またはインターホン６からの開錠信号ＵＬＳを内部で処理することにより、目的階指定信号ＯＡＳを発生し、この住戸管理中央制御装置５がエレベータ制御回路７に目的階指定信号ＯＡＳを供給するように構成される。
または、ＩＤ照合装置コントローラ４が、乗場用ＩＤ照合装置３からの認証者確認信号ＩＤＳ２を内部で処理することにより、目的階指定信号ＯＡＳを発生し、この目的階指定信号ＯＡＳを住戸管理中央制御装置５に供給するように構成され、住戸管理中央制御装置５は、インターホン６からの開錠信号ＵＬＳに基づいて発生した目的階指定信号ＯＡＳと、ＩＤ照合装置コントローラ４からの目的階指定信号ＯＡＳとをエレベータ制御回路７に供給するように構成される。その他は、実施の形態６と同じに構成される。
【００８６】
この実施の形態８のかご呼び非サービス階設定手段１３Ｃは、実施の形態５で用いたものと同じであり、通常状態では、玄関階以外の各サービス階へのかご呼びを登録不能とし、エレベータかごが玄関階に到着したときに、目的階指定信号ＯＡＳにより指定された目的階のみへのかご呼びを一時的に登録可能とする機能を有する。
【００８７】
図１６の動作フローチャートは、乗場用ＩＤ照合装置３が認証者確認信号ＩＤＳ２を発生する場合のフローチャートである。この図１６の動作フローチャートは、開始ステップと終了ステップとの間に、８つのステップＳＴ９１からＳＴ９８を含んでいる。
【００８８】
開始ステップでは、通常状態として、乗場呼び非サービス階設定手段１２Ａにより、玄関階での乗場呼びを登録不能としている。最初のステップＳＴ９１では、玄関階の乗場用ＩＤ照合装置３による照合が行なわれ、この乗場用ＩＤ照合装置３が、認証者確認信号ＩＤＳ２を発生する。次のステップＳＴ９２では、認証者確認信号ＩＤＳ２に基づき、乗場呼び非サービス階設定手段１２Ａが、玄関階での乗場呼びを一時的に登録可能とする。次のステップＳＴ９３では、玄関階において、エレベータの利用者が上昇指示ボタン１７Ａを操作することにより、玄関階での乗場呼びが登録される。
【００８９】
次のステップＳＴ９４では、エレベータかごが玄関階に到着する。次のステップＳＴ９５では、かご呼び非サービス階設定手段１３Ｃが、中央制御装置５からの目的階指定信号ＯＡＳに基づき、目的階指定信号ＯＡＳにより指定された目的階のみへのかご呼びを一時的に登録可能とする。次のステップＳＴ９６では、エレベータの利用者が、エレベータかご内において、行先階指示ボタン１６を操作することにより、目的階へのかご呼びが登録される。次のステップＳＴ９７では、エレベータかごが登録された目的階に到着する。次のステップＳＴ９８では、かご呼び非サービス階設定手段１３Ｃが、目的階へのかご呼びを登録不能とする。
【００９０】
なお、インターホン６が開錠信号ＵＬＳを発生する場合には、図１６のステップＳＴ９１で、インターホン６から開錠信号ＵＬＳを受け、次のステップＳＴ９２で、開錠信号ＵＬＳに基づき、乗場呼び非サービス階設定手段１２Ａが、玄関階で乗場呼びを一時的に登録可能とされる。それ以外は、図１６と同じである。
【００９１】
この実施の形態８では、乗場呼び非サービス階設定手段１２Ａは、通常状態では、玄関階でのエレベータの乗場呼びを登録不能とする機能を有し、また、乗場用ＩＤ照合装置３からの認証者確認信号ＩＤＳ２または各インターホン６からの開錠信号ＵＬＳに基づき、玄関階でのエレベータの乗場呼びを一時的に登録可能とする機能を有し、またかご呼び非サービス階設定手段１３Ｃは、通常状態では、玄関階以外の各サービス階へのかご呼びを登録不能とし、エレベータかごが玄関階に到着したときに、目的階指定信号ＯＡＳにより指定された目的階のみへのかご呼びを一時的に登録可能とする機能を有するので、通常状態では、乗場呼び非サービス階設定手段１２Ａにより、セキュリティを確保し、またエレベータかごが玄関階に到着したときには、かご呼び非サービス階設定手段１３により、目的階以外のセキュリティを確実に確保しながら、乗場用ＩＤ照合装置３からの認証者確認信号ＩＤＳ２または各住戸のインターホン６からの開錠信号ＵＬＳが発生したときには、玄関階での乗場呼びを効果的に行ない、エレベータの利便性を向上することができる。
【００９２】
実施の形態９．
この実施の形態９は、玄関用ＩＤ照合装置２において、管理者確認信号ＩＤＳが発生したときに、すべてのサービス階へのかご呼びを一時的に可能とするものである。この実施の形態９は、実施の形態２、３、４、５、７、８の各実施の形態に適用され、これらの各実施の形態におけるかご呼び非サービス階設定手段１３、１３Ａ、１３Ｂ、１３Ｃに、管理者確認信号ＩＤＳに基づき、すべてのサービス階へのかご呼びを一時的に登録可能とする機能を付加したものである。
【００９３】
図１７は、この実施の形態９の動作フローチャートであり、乗場用ＩＤ照合装置３から管理者確認信号ＩＤＳ受ける場合の動作フローチャートである。この動作フローチャートは、開始ステップと終了ステップとの間に６つのステップＳＴ１０１からＳＴ１０６を含んでいる。
【００９４】
図１７の開始ステップでは、玄関階での乗場呼びが登録不能とされている。最初のステップＳＴ１０１では、乗場用ＩＤ照合装置３に管理者認証カードが差し込まれ、乗場用ＩＤ照合装置３が管理者認証信号ＩＤＳを発生する。この管理者認証カードは、集合住宅の管理者が所持するものである。次のステップＳＴ１０２では、管理者認証信号ＩＤＳに基づき、エレベータかごが玄関階に到着する。
【００９５】
次のステップＳＴ１０３では、管理者認証信号ＩＤＳに基づき、かご呼び非サービス階設定手段１３、１３Ａ、１３Ｂ、１３Ｃが、すべてのサービス階へのかご呼びを一時的に、所定時間に限り、登録可能にする。次のステップＳＴ１０４では、乗車した管理者がエレベータかご内の行先指示ボタン１６を操作することにより、任意のサービス階へのかご呼びが登録される。
【００９６】
次のステップＳＴ１０５では、エレベータかごが指示された目的階に到着する。次のステップＳＴ１０６では、かご呼び非サービス階設定手段１３、１３Ａ、１３Ｂ、１３Ｃにより、玄関階以外の各サービス階へのかご呼びを登録不能とする。
【００９７】
この実施の形態９では、管理者認証信号ＩＤＳにより、各サービス階へのかご呼びが一時的に登録可能とされるので、セキュリティを確保しながら、管理者が緊急事態に対応して、各サービス階へ移動するのが可能となり、利便性を向上することができる。
【産業上の利用可能性】
【００９８】
この発明によるエレベータの制御装置は、集合住宅に設置されるエレベータの制御を行なうのに利用される。
【図面の簡単な説明】
【００９９】
【図１】図１はこの発明によるエレベータの制御装置の実施の形態１を示すブロック回路図。
【図２】図２は実施の形態１の動作フローチャート。
【図３】図３はこの発明によるエレベータの制御装置の実施の形態２を示すブロック回路図。
【図４】図４は実施の形態２の動作フローチャート。
【図５】図５はこの発明によるエレベータの制御装置の実施の形態３を示すブロック回路図。
【図６】図６は実施の形態３の動作フローチャート。
【図７】図７はこの発明によるエレベータの制御装置の実施の形態４を示すブロック回路図。
【図８】図８は実施の形態４の動作フローチャート。
【図９】図９はこの発明によるエレベータの制御装置の実施の形態５を示すブロック回路図。
【図１０】図１０は実施の形態５の動作フローチャート。
【図１１】図１１はこの発明によるエレベータの制御装置の実施の形態６を示すブロック回路図。
【図１２】図１２は実施の形態６の動作フローチャート。
【図１３】図１３はこの発明によるエレベータの制御装置の実施の形態７を示すブロック回路図。
【図１４】図１４は実施の形態７の動作フローチャート。
【図１５】図１５はこの発明によるエレベータの制御装置の実施の形態８を示すブロック回路図。
【図１６】図１６は実施の形態８の動作フローチャート。
【図１７】図１７はこの発明によるエレベータの制御装置の実施の形態９の動作フローチャート。
【符号の説明】
【０１００】
１：玄関扉、２：玄関用ＩＤ照合装置、３：乗場用ＩＤ照合装置、
４：ＩＤ照合装置コントローラ、５：中央制御装置、６：インターホン、
７：エレベータ制御回路、８：通信コントローラ、９：運行制御手段
１０：乗場呼び自動登録手段、１１：かご呼び自動登録手段、
１２、１２Ａ：乗場呼び非サービス階設定手段、
１３、１３Ａ、１３Ｂ、１３Ｃ：かご呼び非サービス階設定手段。
【図１】
0004999683.tif 000002
【図２】
0004999683.tif 000003
【図３】
0004999683.tif 000004
【図４】
0004999683.tif 000005
【図５】
0004999683.tif 000006
【図６】
0004999683.tif 000007
【図７】
0004999683.tif 000008
【図８】
0004999683.tif 000009
【図９】
0004999683.tif 000010
【図１０】
0004999683.tif 000011
【図１１】
0004999683.tif 000012
【図１２】
0004999683.tif 000013
【図１３】
0004999683.tif 000014
【図１４】
0004999683.tif 000015
【図１５】
0004999683.tif 000016
【図１６】
0004999683.tif 000017
【図１７】
0004999683.tif 000018